(57)【要約】【課題】  高い垂直解像度、動いている被写体の２重写しの防止、処理時間の短時間化、低コスト化を実現する。【解決手段】  インタライン型ＣＣＤ１を備え、ディジタルスチルカメラとしての機能を備えたビデオカメラであり、ＣＣＤ１への入射光量を調整するアイリス機構４２と、アイリス機構４２を駆動するアイリス駆動回路４４と、アイリス駆動回路４４を制御してアイリス機構４２による入射光量調整動作を制御するカメラマイコン５とを有し、カメラマイコン５は、、アイリス駆動回路４４を制御してアイリス機構４２を駆動させることにより、ＣＣＤ１からの全画素データの読み出し期間中には、当該ＣＣＤ１への入射光を遮断して読み出しのみが行われるようにする。【選択図】      図１
2005006356.tif 000002
【特許請求の範囲】
【請求項１】
動画を撮影する動画撮影モードと、静止画を撮影する静止画撮影モードとを選択可能な画像撮影装置において、
２×２の異なる色の補色フィルタを隣接する上下２ライン中で複数の画素の水平方向に繰り返し配置する共に、前記した隣接する上下２ラインを垂直方向に繰り返し配置したインタライン型の撮像素子と、
前記動画撮影モード時に前記撮像素子から隣接する上下２ライン毎に混合してフィールド読み出しを行う一方、前記静止画撮影モード時に前記撮像素子から全画素独立してフレーム読み出しを行うタイミングジェネレータと、
前記静止画撮影モード時で、前記撮像手段からのフレーム読み出し期間中に前記撮像手段への入射光を遮断するように制御する入射光量調整手段と、
前記タイミングジェネレータを介して前記撮像素子から出力された前記動画撮影モード時又は前記静止画撮影モード時のアナログ撮像信号をディジタル撮像データに変換するＡ／Ｄコンバータと、
隣接する上下２ライン毎に混合したディジタル撮像データに対して信号処理を行う第１の信号処理回路と、
前記Ａ／Ｄコンバータから出力された前記静止画撮影モード時のディジタル撮像データをメモリに全画素蓄積した後に、当該メモリからそれぞれ隣接する上下２ライン毎に前記ディジタル撮像データを読み出して加算することにより、第１フィールドと、当該第１フィールドより１ラインずれた第２フィールドとで１フレームの静止画用ディジタル撮像データを生成して出力する第２の信号処理回路と、
前記Ａ／Ｄコンバータから出力された動画用ディジタル撮像データを前記第１の信号処理回路に入力するか、又は、前記第２の信号処理回路から出力された前記１フレームの静止画用ディジタル撮像データを前記第１の信号処理回路に入力するかを選択的に切り換える信号切換手段と
前記第１の信号処理回路により得られた第１の画像表示形式と前記第２の信号処理回路により得られた第２の画像表示形式とを夫々記録するための第１及び第２の記録手段と、
前記第１の信号処理回路により得られた第１の画像表示形式と前記第２の信号処理回路により得られた第２の画像表示形式との間で相互に変換する表示形式変換手段と、
を備えたことを特徴とする画像撮影装置
【請求項２】
前記第１の画像と第２の画像とを合成する合成手段をさらに備え、前記合成手段により合成された画像を前記第１の画像表示形式で前記第１の記録手段に供給すると共に、前記第２の画像表示形式で前記第１の記録手段に供給することを特徴とする請求項１に記載の画像撮影装置。
【発明の詳細な説明】
【技術分野】
【０００１】
本発明は、動画を撮影する動画撮影モードと、静止画を撮影する静止画撮影モードとを選択可能な撮像手段を備えた画像撮影装置に関し、特に、静止画像をメモリカードに記録可能な機能を備えたビデオカメラ等に好適な画像撮影装置に関する。
【背景技術】
【０００２】
図４には、従来のビデオカメラのシステムブロック構成を示す。
【０００３】
この図４において、被写体等からの光は、図示しないフォーカス機構等を備えたレンズ系９９を介し、さらに、Ｃｙ（シアン），Ｇ（グリーン），Ｙｅ（イエロー），Ｍｇ（マゼンタ）の色フィルタが各画素に対応して配列された補色フィルタ１００を介して、ＣＣＤ（固体撮像素子）１０１上に入射する。
【０００４】
ＣＣＤ１０１は、インタライン型ＣＣＤであり、タイミングジェネレータ（ＴＧ）１０４からの駆動信号により、フィールド読み出しとして駆動される。すなわち、当該タイミングジェネレータ１０４にて駆動されるＣＣＤ１０１からは、垂直方向で上下隣り合う画素の撮像信号が当該ＣＣＤ上で混合されて読み出される。
【０００５】
具体的に説明すると、図５に示すように、例えば第１フィールドでは、Ａ１ラインとしてＣｙ＋Ｇ、Ｙｅ＋Ｍｇ、Ｃｙ＋Ｇ、Ｙｅ＋Ｍｇ、・・・・の垂直方向で上下隣り合う色フィルタにそれぞれ相対する各画素の撮像信号が当該ＣＣＤ上で混合されて読み出され、次のＡ２ラインとしてＣｙ＋Ｍｇ、Ｙｅ＋Ｇ、Ｃｙ＋Ｍｇ、Ｙｅ＋Ｇ、・・・・の垂直方向で上下隣り合う色フィルタにそれぞれ相対する各画素の撮像信号が当該ＣＣＤ上で混合されて読み出される。以下同様に、図示しないＡ３ライン、Ａ４ライン、・・・の各ラインも、それぞれ垂直方向で上下隣り合う画素の撮像信号が混合されて読み出される。また、第２フィールドでは、Ｂ１ラインとしてＧ＋Ｃｙ、Ｍｇ＋Ｙｅ、Ｇ＋Ｃｙ、Ｍｇ＋Ｙｅ、・・・・の垂直方向で上下隣り合う色フィルタにそれぞれ相対する各画素の撮像信号が当該ＣＣＤ上で混合されて読み出され、以下同様に、Ｂ２ライン、Ｂ３ライン、・・・の各ラインも、それぞれ垂直方向で上下隣り合う画素の撮像信号が混合されて同様に読み出される。当該ＣＣＤ１０１から出力された撮像信号は、ＣＤＳ・ＡＧＣ回路１０２に送られる。
【０００６】
ＣＤＳ・ＡＧＣ回路１０２は、相関２重サンプリング（ＣＤＳ）処理により撮像信号からノイズを除去し、また、自動利得制御（ＡＧＣ）処理により撮像信号のゲインを所望の値にコントロールする。当該ＣＤＳ・ＡＧＣ回路１０２から出力された撮像信号は、ＡＤＣ回路１０３に送られる。
【０００７】
ＡＤＣ回路（Ａ／Ｄコンバータ）１０３では、ＣＤＳ・ＡＧＣ回路１０２から出力されたアナログ撮像信号をディジタルの撮像データに変換（Ａ／Ｄ変換）する。当該ＡＤＣ回路１０３から出力された撮像データは、図４中に点線で囲むＤＳＰ１１６に送られる。
【０００８】
ＤＳＰ（ディジタル・シグナル・プロセッサ）１１６は、カメラマイコン１０５からの指令に応じて、以下に述べるような各種の信号処理を行う。
【０００９】
ＤＳＰ１１６に入力された撮像データは、先ず、Ｙ／Ｃ分離部１０６に送られる。当該Ｙ／Ｃ分離部１０６では、供給された撮像データを輝度データと色データに分離する。このＹ／Ｃ分離部１０６の出力データは、ＩＷＤ部１０７に送られる。
【００１０】
ＩＷＤ（水平画素切り出し）部１０７は、図示しない手振れ検出回路にて検出されたカメラの振れ量及び振れ速度に対応する手振れ情報に基づいて、ＣＣＤ１０１上で水平方向の有効画素となる各画素に対応するデータのみを取り出す。すなわち、ＩＷＤ部１０７では、ＣＣＤ１０１上の各画素に対応するデータのうち、手振れを補正できる方向のデータのみを取り出す。当該ＩＷＤ部１０７から出力されたデータは、信号切換部１０８に送られる。
【００１１】
信号切換部１０８は、例えばカメラマイコン１０５からの指令に基づいて、ＩＷＤ部１０７から出力されたデータと、後述する記録再生機器（ＲＥＣ・ＰＢ）１１４からの再生データとを切り換え、ＦＭＣ部１０９に送る。すなわち例えば、当該ビデオカメラにて撮影中のデータを記録再生機器１１４にて記録する場合や、そのまま外部にビデオ信号として出力する場合、当該信号切換部１０８はＩＷＤ部１０７の出力データをＦＭＣ部１０９に送るように切り換えられ、一方、記録再生機器１１４から再生されたデータを外部にビデオ信号として出力する場合、当該信号切換部１０８は記録再生機器１１４の再生データをＦＭＣ部１０９に送るように切り換えられる。
【００１２】
ＦＭＣ（ビデオメモリコントローラ）部１０９は、ビデオメモリとしてのＶＲＡＭ１１３へのデータの書き込み／読み出しを制御する。ここで、当該ＦＭＣ部１０９によるＶＲＡＭ１１３へのデータの書き込み／読み出し制御は、例えば、手振れ補正の微調整や、画像に対する各種演出効果を実現するために行われる。なお、手振れ補正の微調整とは、手振れ情報に基づく手振れ補正処理を例えば１ライン、２水平画素未満で実現することであり、したがって、当該ＦＭＣ部１０９は、１ライン、２水平画素未満の手振れ補正の微調整を実現するために、ＶＲＡＭ１１３へのデータの書き込み／読み出しを制御する。また、画像に対する演出効果の具体例としては、例えば、記念写真的なスチル画像や、１画面内に複数の画像を並べるマルチ画面、セピア調の画像、白黒画像などを生成すること、或いは、画像のフェーダやワイプなどの画像処理を挙げることができ、したがって、当該ＦＭＣ部１０９は、これら演出効果の実現のために必要となるデータを、ＶＲＡＭ１１３から読み出す。ＦＭＣ部１０９によりＶＲＡＭ１１３から読み出されたデータは、ＹＮＲ部１１０に送られる。
【００１３】
ＹＮＲ（輝度信号ノイズリデューサ）部１１０は、輝度データのノイズを抑圧する。当該ＹＮＲ部１１０から出力されたデータは、当該ビデオカメラの使用者からの要求に応じて、記録再生機器１１４に送られて例えば磁気テープや磁気ディスク、光ディスク等の記録媒体に記録され、或いは、ビデオ信号として外部に出力するためにＥＮＣ部１１１に送られる。
【００１４】
ＮＣ（カラーエンコーダ）部１１１では、供給されたデータを例えばＮＴＳＣ（National Television System Committee）、ＰＡＬ（Phase Alternation byLine）、ＳＥＣＡＭ（sequential a memoire color television system）などテレビジョン放送方式に対応する信号に変換する。当該ＥＮＣ部１１１からの信号は、ＤＡＣ部１１２に送られる。
【００１５】
ＤＡＣ（Ｄ／Ａコンバータ）部１１２では、ＥＮＣ部１１１からのデータをアナログのビデオ信号に変換する。当該ＤＳＰ１１６のＤＡＣ部１１２からのビデオ信号は、出力端子１１５より外部に出力される。
【００１６】
一方、記録再生機器１１４では、当該カメラの使用者からの要求に応じて、先に記録媒体に記録されたデータを再生し、その再生データを信号切換部１０８に送る。この信号切換部１０８に供給された再生データは、ＦＭＣ部１０９、ＹＮＲ部１１０、ＥＮＣ部１１１、ＤＡＣ部１１２を経て、出力端子１１５からビデオ信号として外部に出力される。
【００１７】
次に、図６には、従来のデジタルカメラ（ディジタルスチルカメラ）のシステムブロック構成を示す。
【００１８】
この図６において、被写体等からの光は、オートフォーカスが可能なフォーカス機構１１８により駆動されるレンズ系１１７を通過し、また、オートアイリスが可能なアイリス機構１１９を介し、さらに、Ｃｙ（シアン），Ｇ（グリーン），Ｙｅ（イエロー），Ｍｇ（マゼンタ）の色フィルタが配列された補色フィルタ１２０を通過して、ＣＣＤ１２１上に入射する。
【００１９】
ＣＣＤ１２１は、プログレッシブスキャン型ＣＣＤであり、タイミングジェネレータ（ＴＧ）１２４からの駆動信号により、フレーム読み出しとして駆動される。すなわち、当該タイミングジェネレータ１２４にて駆動されるＣＣＤ１２１からは、前述した図４の例とは異なり、ＣＣＤの各画素の撮像信号を混合せずに読み出しが行われる。
【００２０】
より具体的に説明すると、図７に示すように、例えば１フィールドの間に、ａ１ラインのＣｙ、Ｙｅ、Ｃｙ、Ｙｅ、・・・・の各色フィルタにそれぞれ相対する各画素、ｂ１ラインのＧ、Ｍｇ、Ｇ、Ｍｇ、・・・の各色フィルタにそれぞれ相対する各画素、以下同様に、ａ２ラインのＣｙ、Ｙｅ、Ｃｙ、Ｙｅ、・・・・、の各色フィルタにそれぞれ相対する各画
素、ｂ２ラインのＧ、Ｍｇ、Ｇ、Ｍｇ、・・・の各色フィルタにそれぞれ相対する各画素の順番で、全ての画素の撮像信号が当該ＣＣＤから読み出される。当該ＣＣＤ１２１から出力された撮像信号は、ＣＤＳ・ＡＧＣ回路１２２に送られる。
【００２１】
ＣＤＳ・ＡＧＣ回路１２２は、図４の構成と同様に、相関２重サンプリング処理により撮像信号からノイズを除去し、また、自動利得制御処理により撮像信号のゲインを所望の値にコントロールする。当該ＣＤＳ・ＡＧＣ回路１０２から出力された撮像信号は、ＡＤＣ回路１０３にてディジタル撮像データに変換された後、図６中に点線で囲むＤＳＰ１３９に送られる。
【００２２】
ＤＳＰ１３９は、以下に述べるような各種の信号処理を行う。
【００２３】
ＤＳＰ１３９に入力された撮像データは、先ず、ＤＭＡＣＴＬ（ＤＭＡコントローラ）部１２７に送られる。当該ＤＭＡＣＴＬ部１２７は、マイコン１２５内のメモリに１画面分の撮像データをＤＭＡ（Direct Memory Access）転送する。
【００２４】
マイコン１２５は、ＤＭＡＣＴＬ部１２７から供給された撮像データを、ソフトウェア処理によって輝度データと色データに分離し、静止画像データを生成する。当該マイコン１２５により生成された静止画像データは、再びＤＭＡ転送によってＤＭＡＣＴＬ部１２７を通り、ＤＲＡＭＣＴＬ（外部メモリコントローラ）部１２８に送られる。
【００２５】
ＤＲＡＭＣＴＬ部１２８は、外部メモリとしてのＤＲＡＭ１３３へのデータの書き込み／読み出しを制御する。
ここで、当該ＤＲＡＭＣＴＬ部１２８は、ＤＭＡＣＴＬ部１２７を介して供給されたマイコン１２５からの静止画像データを、ＤＲＡＭ１３３上に書き込ませる。また、ＤＲＡＭＣＴＬ部１２８は、マイコン１２５が他の処理を実行中であっても、ＤＲＡＭ１３３上の静止画像データを常に読み出させており、その静止画像データはＦＣＮＶ部１２９に送られる。
【００２６】
ＦＣＮＶ（クロックコンバータ）部１２９は、静止画像データのクロックをマイコン１２５のクロックから後段のＥＮＣ部１３１でのクロックへ変換する。当該ＦＣＮＶ部１２９からの出力データは、ＹＮＲ部１３０に送られる。
【００２７】
ＹＮＲ部１３０は、輝度データのノイズを抑圧する。当該ＹＮＲ部１３０から出力されたデータは、ＥＮＣ部１３１に送られる。
【００２８】
ＥＮＣ部１３１では、供給されたデータを例えばＮＴＳＣ、ＰＡＬ、ＳＥＣＡＭなどテレビジョン放送方式に対応する信号に変換する。当該ＥＮＣ部１３１からの信号は、ＤＡＣ部１３２に送られる。
【００２９】
ＤＡＣ部１２２では、ＥＮＣ部１２１からのデータをアナログのビデオ信号に変換する。当該ＤＳＰ１３９のＤＡＣ部１３２からのビデオ信号は、出力端子１３８より外部に出力される。
【００３０】
また、マイコン１２５により生成された静止画像データは、当該ディジタルカメラの使用者からの要求に応じて、ソフトウェア処理による画像圧縮処理が施された後、半導体メモリを備えた着脱可能なメモリカード１２６に記録される。このメモリカード１２６に記録された圧縮データは、当該ディジタルカメラの使用者からの要求に応じて、当該メモリカード１２６から読み出され、マイコン１２５に取り込まれる。
【００３１】
メモリカード１２６からの圧縮データを取り込んだマイコン１２５は、ソフトウェア処理により伸張処理を行い、静止画像データを復元する。当該マイコン１２５により復元された静止画像データは、ＤＭＡ転送によってＤＭＡＣＴＬ部１２７を通り、ＤＲＡＭＣＴＬ部１２８に送られる。ＤＲＡＭＣＴＬ部１２８に送られた静止画像データは、前述同様に、ＦＣＮＶ部１２９、ＹＮＲ部１３０、ＥＮＣ部１３１、ＤＡＣ部１３２を通り、ビデオ信号として出力端子１３８から出力される。
【００３２】
また、図６のディジタルカメラでは、当該マイコン１２５により復元された静止画像データは、例えばＩｒＤＡ（赤外線通信）部１３４による赤外線通信や、ＵＡＲＴ（非同期シリアル通信）部１３５による非同期シリアル通信、ＰＯＲＴ部１３７によるシリアル通信により、例えばパーソナルコンピュータ等に転送することも可能である。なお、ＴＩＭＥＲ（タイマ）部１３６は、日時情報を発生するものであり、当該ＴＩＭＥＲ部１３６により発生された日時情報を撮影日時として、各静止画像に付加している。
【００３３】
図６のディジタルカメラでは、例えばパーソナルコンピュータ等から赤外線通信により転送されてきた静止画像データをＩｒＤＡ部１３４にて受信したり、例えばパーソナルコンピュータ等から非同期シリアル通信により転送されてきた静止画像データをＵＡＲＴ部１３５にて受信すること、同じくパーソナルコンピュータ等からシリアル通信により転送されてきた静止画像データをＰＯＲＴ部１３７にて受信することも可能となされている
【発明の開示】
【発明が解決しようとする課題】
【００３４】
ところで、前述の図４に示した従来のビデオカメラは、フィールド読み出し方式のＣＣＤを用いているため、フィールドの静止画では垂直解像度が約２４０本と低いことが欠点となっている。また、上述した図４のビデオカメラは、２つのフィールド画像からフレーム画像を構成するようにしているが、そのような２つのフィールド画像から構成したフレーム静止画の場合、２つのフィールド画像に時間差があるため、例えば動きのある被写体が２重になってしまうことが問題である。すなわち、例えばＮＴＳＣ方式の場合を例に挙げると、２つのフィールド画像には１／６０秒の差があり、それら２フィールドの画像から１枚の静止画像を生成すると、当該１／６０秒だけ像がずれた静止画像が生成されてしまうことになる。
【００３５】
一方、図６に示した従来のディジタルカメラは、フレーム読み出し方式のＣＣＤを使用しているので、高い垂直解像度を得ることができ、また動いている被写体が２重に写ってしまうことのない静止画を得ることができる。しかしながら、フレーム読み出し方式のＣＣＤは、フィールド読み出し方式のＣＣＤよりも一般的に高価であるため、カメラの低コスト化が難しい。
【００３６】
また、上述の図６に示した従来のディジタルカメラでは、撮像データを輝度データと色データに分離する処理だけでなく、例えばフォーカス機構１１８のオートフォーカス制御やアイリス機構１１９のオートアイリス制御、オートホワイトバランス等の各種自動制御系の処理も全てプログラムによるソフトウェア処理にて行うようになされているため、その処理に長時間を要している。
さらには、従来のビデオカメラにて使用する画像表示形式と従来のディジタルカメラにて使用する画像表示形式とを扱うためには一つの装置上にビデオカメラとディジタルカメラとの構成を設けなければならず装置の増大化、高コスト化という問題があった。
【００３７】
本発明は、上述の課題に鑑みてなされたものであり、動いている被写体の２重写しを防止し、高い垂直解像度の画像を得、処理時間の短時間化と、低コスト化を実現するのみならず、動画像と静止画像とを合成する合成手段を備えることにより、さらに、撮影した動画像上に例えばタイトル画像等を合成するようなこと、その合成した画像を静止画として記録することを実現する画像撮影装置を提供することを目的とする。
【課題を解決するための手段】
【００３８】
本発明は、上記課題を解決するために、以下の１）〜２）に記載の手段よりなる。
すなわち、
１）動画を撮影する動画撮影モードと、静止画を撮影する静止画撮影モードとを選択可能な画像撮影装置において、
２×２の異なる色の補色フィルタを隣接する上下２ライン中で複数の画素の水平方向に繰り返し配置する共に、前記した隣接する上下２ラインを垂直方向に繰り返し配置したインタライン型の撮像素子と、
前記動画撮影モード時に前記撮像素子から隣接する上下２ライン毎に混合してフィールド読み出しを行う一方、前記静止画撮影モード時に前記撮像素子から全画素独立してフレーム読み出しを行うタイミングジェネレータと、
前記静止画撮影モード時で、前記撮像手段からのフレーム読み出し期間中に前記撮像手段への入射光を遮断するように制御する入射光量調整手段と、
前記タイミングジェネレータを介して前記撮像素子から出力された前記動画撮影モード時又は前記静止画撮影モード時のアナログ撮像信号をディジタル撮像データに変換するＡ／Ｄコンバータと、
隣接する上下２ライン毎に混合したディジタル撮像データに対して信号処理を行う第１の信号処理回路と、
前記Ａ／Ｄコンバータから出力された前記静止画撮影モード時のディジタル撮像データをメモリに全画素蓄積した後に、当該メモリからそれぞれ隣接する上下２ライン毎に前記ディジタル撮像データを読み出して加算することにより、第１フィールドと、当該第１フィールドより１ラインずれた第２フィールドとで１フレームの静止画用ディジタル撮像データを生成して出力する第２の信号処理回路と、
前記Ａ／Ｄコンバータから出力された動画用ディジタル撮像データを前記第１の信号処理回路に入力するか、又は、前記第２の信号処理回路から出力された前記１フレームの静止画用ディジタル撮像データを前記第１の信号処理回路に入力するかを選択的に切り換える信号切換手段と
前記第１の信号処理回路により得られた第１の画像表示形式と前記第２の信号処理回路により得られた第２の画像表示形式とを夫々記録するための第１及び第２の記録手段と、
前記第１の信号処理回路により得られた第１の画像表示形式と前記第２の信号処理回路により得られた第２の画像表示形式との間で相互に変換する表示形式変換手段と、
を備えたことを特徴とする画像撮影装置
２）前記第１の画像と第２の画像とを合成する合成手段をさらに備え、前記合成手段により合成された画像を前記第１の画像表示形式で前記第１の記録手段に供給すると共に、前記第２の画像表示形式で前記第１の記録手段に供給することを特徴とする１）に記載の画像撮影装置。
【発明の効果】
【００３９】
本発明に係る画像撮影装置によれば、撮像手段の１回の電荷蓄積により得られた全画素データを記憶し、全画素データのうちそれぞれ隣接する２ライン毎に画素データを取り出して加算することにより第１フィールドと第２フィールドとを生成し、これら第１フィールドと第２フィールドから１フレームの静止画像を生成することにより、動いている被写体が２重に写ってしまうことのない静止画を得ることができ、高い垂直解像度の画像を得ることができる。そして、画像の表示形式を第１の画像表示形式と第２の画像表示形式との間で相互に変換可能とすることにより、例えば、ビデオカメラにて使用する画像表示形式とディジタルスチルカメラにて使用する画像表示形式の両方を扱うようなことが可能となり、このため、ビデオカメラの構成とディジタルスチルカメラの構成を一つの装置上で共用することが可能となり、これらビデオカメラとディジタルスチルカメラの構成を同一装置上に共用可能に設けることで、例えば従来のディジタルスチルカメラにて行われていたソフトウェア処理をビデオカメラのハード構成にて実現でき、その結果、処理時間の短時間化と、構成の共有による低コスト化を実現できる。
【００４０】
また、ビデオカメラとディジタルスチルカメラの両方の機能を備えることができるため、例えばビデオテープとメモリカード間の画像データコピーや転送も可能となる。
【００４１】
さらに本発明に係る画像撮影装置によれば、第１の画像と第２の画像とを合成する合成手段を備えることにより、動いている被写体の２重写しを防止し、高い垂直解像度の画像を得、処理時間の短時間化と、低コスト化を実現するのみならず、さらに、撮影した動画像上に例えばタイトル画像等を合成するようなこと、その合成した画像を静止画として記録することも可能である。
【発明を実施するための最良の形態】
【００４２】
以下、本発明に係る画像撮影装置の好ましい実施の形態について図面を参照しながら詳細に説明する。
【００４３】
図１には、本発明の画像撮影装置の一実施の形態として、静止画撮影機能を備えたビデオカメラのシステムブロック構成を示す。
【００４４】
先ず、本実施の形態のビデオカメラにて通常の動画撮影を行う場合（動画撮影モード）の構成及び動作を説明する。
【００４５】
この図１において、被写体等からの光は、オートフォーカスが可能なフォーカス機構４１により駆動されるレンズ系４０を通過し、また、オートアイリスが可能なアイリス機構４２を介し、さらに、Ｃｙ（シアン），Ｇ（グリーン），Ｙｅ（イエロー），Ｍｇ（マゼンタ）の色フィルタが配列された補色フィルタ４３を通過して、ＣＣＤ１上に入射する。図１のＣＣＤ１は、インタライン型ＣＣＤである。
【００４６】
本実施の形態のビデオカメラにて通常の動画撮影（動画撮影モード）を行う場合には、タイミングジェネレータ４からの駆動信号により、当該ＣＣＤ１をフィールド読み出しモードとして駆動する。すなわち、本実施の形態のビデオカメラにて通常の動画撮影を行う場合、タイミングジェネレータ４にて駆動されるＣＣＤ１からは、前述の図５で説明したように、垂直方向で上下隣り合う画素の撮像信号が当該ＣＣＤ上で混合されて読み出される。当該ＣＣＤ１から出力された撮像信号は、ＣＤＳ・ＡＧＣ回路２に送られる。
【００４７】
ＣＤＳ・ＡＧＣ回路２は、相関２重サンプリング処理により撮像信号からノイズを除去し、また、自動利得制御処理により撮像信号のゲインを所望の値にコントロールする。当該ＣＤＳ・ＡＧＣ回路２から出力された撮像信号は、ＡＤＣ回路３に送られる。
【００４８】
ＡＤＣ回路３では、ＣＤＳ・ＡＧＣ回路２から出力されたアナログ撮像信号をディジタルの撮像データに変換する。当該ＡＤＣ回路３から出力された撮像データは、図１中に点線で囲むＤＳＰの第１の信号処理ブロック３８に送られる。
【００４９】
第１の信号処理ブロック３８は、カメラマイコン５からの指令に応じて、以下に述べるような各種の信号処理を行う。
【００５０】
第１の信号処理ブロック３８に入力された撮像データは、カメラマイコン５によりその切換動作が制御される信号切換部８及び２０に送られる。本実施の形態のビデオカメラにて通常の動画撮影を行う場合、ＡＤＣ回路３から出力された撮像データは、信号切換部８を通過してＹ／Ｃ分離部９に送られる。
【００５１】
当該Ｙ／Ｃ分離部９では、信号切換部８から出力された撮像データを、輝度データと色データに分離する。このＹ／Ｃ分離部９の出力データは、ＩＷＤ部１０に送られる。
【００５２】
ＩＷＤ部１０は、図示しない手振れ検出回路にて検出されたカメラの振れ量及び振れ速度に対応する手振れ情報に基づいて、ＣＣＤ１上で水平方向の有効画素となる各画素に対応するデータのみを取り出す。すなわち、ＩＷＤ部１０では、ＣＣＤ１上の各画素に対応するデータのうち、手振れを補正できる方向のデータのみを取り出す。当該ＩＷＤ部１０から出力されたデータは、カメラマイコン５によりその切換動作が制御される信号切換部１１に送られる。
【００５３】
信号切換部１１は、カメラマイコン５からの指令に基づいて、ＩＷＤ部１０から出力されたデータと、後述する記録再生機器（ＲＥＣ・ＰＢ）１８からの再生データと、後述する水平画素密度変換（６４０→７２０）部１９からの出力データとの何れかを選択的に切り換え出力し、ＦＭＣ部１２に送る。すなわち例えば、当該ビデオカメラにて撮影中のデータを記録再生機器１８にて記録する場合やそのまま外部にビデオ信号として出力する場合、当該信号切換部１１は、ＩＷＤ部１０の出力データをＦＭＣ部１２に送るように切り換えられ、一方、記録再生機器１８から再生されたデータを外部にビデオ信号として出力する場合、当該信号切換部１１は、記録再生機器１８の再生データをＦＭＣ部１２に送るように切り換えられ、さらに、後述する水平画素密度変換（６４０→７２０）後の静止画像データを使用する場合、当該信号切換部１１は、水平画素密度変換（６４０→７２０）部１９からの出力データをＦＭＣ部１２に送るように切り換えられる。
【００５４】
ＦＭＣ部１２は、ビデオメモリとしてのＶＲＡＭ１７へのデータの書き込み／読み出しを制御する。ここで、当該ＦＭＣ部１２によるＶＲＡＭ１７へのデータの書き込み／読み出し制御は、前述の図４で説明したのと同様に、例えば手振れ補正の微調整や画像に対する各種演出効果を実現するために行われる。ＦＭＣ部１２によりＶＲＡＭ１７から読み出されたデータは、後述するＭＩＸ部１３を介してＹＮＲ部１４に送られる。
【００５５】
ＹＮＲ部１４は、輝度データのノイズを抑圧する。当該ＹＮＲ部１４から出力されたデータは、記録再生機器１８とＥＮＣ部１５と後述する信号切換部２０に送られる。
【００５６】
ＥＮＣ部１５では、供給されたデータを例えばＮＴＳＣ、ＰＡＬ、ＳＥＣＡＭなどテレビジョン放送方式に対応する信号に変換する。当該ＥＮＣ部１５からの信号は、ＤＡＣ部１６に送られる。
【００５７】
ＤＡＣ部１６では、ＥＮＣ部１５からのデータをアナログのビデオ信号に変換する。当該第１の信号処理ブロック３８のＤＡＣ部１６からのビデオ信号は、出力端子３４より外部に出力される。
【００５８】
一方、記録再生機器１８では、当該ビデオカメラの使用者からの要求に応じて、ＹＮＲ部１４から出力されたデータを例えば磁気テープや磁気ディスク、光ディスク等の記録媒体に記録し、また、当該ビデオカメラの使用者からの要求に応じて、先に記録媒体に記録されているデータを再生し、その再生データを信号切換部１１に送る。記録再生機器１８での再生を行っている場合の信号切換部１１は、当該記録再生機器１８からの再生データをＦＭＣ部１２に送るように切り換えられる。この信号切換部１１から出力された再生データは、ＦＭＣ部１２以降の構成に送られ、例えばビデオ信号として外部に出力されたり、後述するようにメモリカード６に記録される。
【００５９】
次に、本実施の形態のビデオカメラにて静止画撮影を行う場合（静止画撮影モード）の構成及び動作を説明する。
【００６０】
本実施の形態のビデオカメラにて静止画撮影を行う場合（静止画撮影モード）、ＣＣＤ１は、タイミングジェネレータ４からの駆動信号により、フレーム読み出しモードとして駆動される。すなわち、本実施の形態のビデオカメラにおいて、通常の動画撮影モードとなっている状態から、例えば所望のシャッタタイミングで静止画像を生成して記録するような場合、インタライン型のＣＣＤ１は、フレーム読み出しモードとして駆動され、動画撮影モード時のフィールド読み出しモードのようにＣＣＤ１上の垂直方向の上下隣り合う画素の撮像信号を混合するようなことは行わず、各画素に蓄積された電荷が２フィールドに分けて読み出される。
【００６１】
以下、当該静止画撮影モード時のＣＣＤ１の読み出し動作を、前述した図７を流用して具体的に説明する。なお、以下の説明において、図７のａ１ライン，ａ２ライン，・・・の各ラインからなるフィールドをＡフィールドと呼ぶことにし、ｂ１ライン，ｂ２ライン，・・・の各ラインからなるフィールドをＢフィールドと呼ぶことにする。
【００６２】
ここで、インタライン型のＣＣＤ１は、１フィールド期間に、図７のａ１ラインとｂ１ライン、ａ２ラインとｂ２ライン、・・・・のそれぞれどちらか一方しか読み出すことができないものである。したがって、本実施の形態のビデオカメラにおいて、当該インタライン型のＣＣＤ１をフレーム読み出しモードと同様に駆動する場合には、ａ１ライン、ａ２ライン、・・・をＡフィールドとして読み出し、また、ｂ１ライン，ｂ２ライン，・・・をＢフィールドとして読み出すようにする。
【００６３】
また、ＣＣＤ１上に入射する光は、当該ＣＣＤの全画素について略々均一且つ同時に入射する。したがって、Ａフィールドの読み出しのタイミングとＢフィールドの読み出しのタイミングが異なる時間である場合、すなわちＡフィールドの読み出しを行っているときにＢフィールドにて電荷の蓄積を行い、一方、Ｂフィールドの読み出しを行っているときにＡフィールドにて電荷の蓄積を行うようにすると、それらＡフィールドによる画像とＢフィールドによる画像とは時間的にずれた画像となる。この場合、これら時間的にずれた画像からなるＡフィールドとＢフィールドの画像から一つの静止画フレーム画像を生成すると、時間的にずれた画像が合わさった２重の静止画となってしまい、高解像度が要求される静止画像としては不向きである。
【００６４】
そこで、本実施の形態のビデオカメラにて静止画像を生成して記録する場合、図２に示すように、所望のシャッタタイミングにより静止画撮影モードになっている期間では、アイリス機構４２を図１中矢印Ｓに示す方向に駆動して当該アイリス（絞り）を全て閉じるようにする。
【００６５】
すなわち、例えば当該ビデオカメラの使用者が例えばシャッタボタン４５等を押すことにより、所望のシャッタタイミングの画像を静止画像として取り込むことが指示された場合、例えばカメラマイコン５は、そのシャッタタイミングでアイリス駆動回路４４を制御して、図２中の矢印Ｓ方向に示すように、アイリスを閉じるように動作させる（つまりアイリス機構４２をメカシャッタとして動作させる）。
【００６６】
このようにアイリスを閉じた後、カメラマイコン５は、タイミングジェネレータ４を制御することにより、動画撮影モード時にはフィールド読み出し動作となされていたＣＣＤ１を、図２に示すようにＡフィールドとＢフィールドを別々に読み出して１つのフレームを構成するようなフレーム読み出し動作に切り換える。すなわち、アイリスを閉じた後にＡフィールド及びＢフィールドとしてＣＣＤ１から読み出される電荷は、シャッタタイミング以前の同時刻にＣＣＤ１に蓄積された電荷であり、したがって、図２のようにＡフィールドとＢフィールドを別々に読み出したとしても（ＡフィールドとＢフィールドの読み出しタイミングが異なってたとしても）、それらＡフィールドとＢフィールドから作られる１枚のフレーム画像は、時間的にズレのないフレーム画像として得られることになる。
【００６７】
なお、所望のシャッタタイミングにて静止画像の撮影（取り込み）が行われた後、本実施の形態のビデオカメラの動作を通常の動画撮影モードに戻すことも可能である。
【００６８】
次に、上述の静止画撮影モードの時にＣＣＤ１から読み出されたＡフィールドとＢフィールドの各ラインの撮像信号は、動画撮影モード時と同様に、ＣＤＳ・ＡＧＣ回路２、ＡＤＣ回路３を経て、ＤＳＰの第１の信号処理ブロック３８に送られる。
【００６９】
当該第１の信号処理ブロック３８に入力された静止画像の撮像データは、カメラマイコン５によりその切換動作が制御される信号切換部８及び２０に送られる。本実施の形態のビデオカメラにて静止画撮影を行う場合、ＡＤＣ回路３から出力された撮像データは、信号切換部２０を通過して第２の信号処理ブロック３９に送られる。
【００７０】
第２の信号処理ブロック３９に入力されたデータは、信号切換部２２と後述する水平画素密度変換（７２０→６４０）部３２とに送られるが、このときのデータは、カメラマイコン５によりその切換動作が制御される信号切換部２２を通過して、画像データバッファとしてのメモリ２４に蓄積される。
【００７１】
当該メモリ２４は、本実施の形態のビデオカメラ内のクロックで入力されるデータを一旦蓄積し、外部メモリとしてのＳＤＲＡＭ２８のクロックで読み出す。このメモリ２４から出力されたデータは、出力制御用のバッファ２７を介して、ＳＤＲＡＭ２８に送られて記録される。
【００７２】
以上のようなことから、このときのＳＤＲＡＭ２８上には、静止画撮影モードの時に得られたＡフィールドの各ラインの画素データとＢフィールドの各ラインの画素データが、それぞれ記録（混合されていない状態で記録）されていることになる。
【００７３】
当該ＳＤＲＡＭ２８に記録されたデータは、その後読み出されて、それぞれ画像バッファメモリであるメモリ２５と２６に一旦蓄積される。これらメモリ２５及び２６は共に、外部メモリとしてのＳＤＲＡＭ２８のクロックで入力されるデータをそれぞれ一旦蓄積し、本実施の形態のビデオカメラ内のクロックでそれぞれ読み出す。
【００７４】
ここで、外部メモリであるＳＤＲＡＭ２８は、その動作クロックがビデオカメラのクロックよりも高くなされており、異なる２種類のアドレスに対してデータリードとデータライトを同時に行い得るものとなされている。すなわち、ＳＤＲＡＭ２８では、本実施の形態のビデオカメラからのデータ（メモリ２４の出力データ）を所望のアドレスに書き込みつつ、別のアドレスに記録されているデータを読み出して本実施の形態のビデオカメラに出力（メモリ２５，２６への入力）することが可能となされている。
【００７５】
本実施の形態では、例えば図３に示すように、１Ｈの期間内において、ビデオカメラからの水平有効画素の入力データが、メモリ２４を介することでＳＤＲＡＭ２８のクロックに合わせられ、当該メモリ２４からの出力データがライトデータＷとしてＳＤＲＡＭ２８に書き込まれる。同じく当該１Ｈの期間内において、ＳＤＲＡＭ２８から読み出されたリードデータＲ１はメモリ２５に送られ、また、リードデータＲ２はメモリ２６に送られる。そして、リードデータＲ１は、メモリ２５によってビデオカメラのクロックに合わせて出力され、同時に、リードデータＲ２は、メモリ２６によってビデオカメラのクロックに合わせて出力される。すなわち、ＳＤＲＡＭ２８へのライトデータＷは、前記静止画撮影モード時において図２で示したようにＣＣＤから読み出されたＡフィールド及びＢフィールドのデータであり、一方、ＳＤＲＡＭ２８からのリードデータＲ１は、例えばＡフィールドのデータであり、同じくＳＤＲＡＭ２８からのリードデータＲ２は、例えばＢフィールドのデータである。
【００７６】
上述のように、リードデータＲ１が書き込まれたメモリ２５からの読み出しと、リードデータＲ２が書き込まれたメモリ２６からの読み出しとは同時に行われ、これらメモリ２５及び２６からの読み出しデータは、加算器２３に送られ、当該加算器２３にて加算される。
【００７７】
ここで、ＳＤＲＡＭ２８からのリードデータＲ１として、図７の最初のａ１ラインからそれ以降の各ライン（すなわちａ１ライン，ａ２ライン，・・・）を読み出してメモリ２５に書き込み、一方、リードデータＲ２として、図７の最初のｂ１ラインからそれ以降の各ライン（すなわちｂ１ライン，ｂ２ライン，・・・）を読み出してメモリ２６に書き込み、これらメモリ２５，２６から同時にそれらのデータを読み出して加算器２３にて加算すれば、前述した図５の場合と同じように、Ａ１ラインとして、Ｃｙ＋Ｇ、Ｙｅ＋Ｍｇ、Ｃｙ＋Ｇ、Ｙｅ＋Ｍｇ、・・・・の垂直方向で上下隣り合う色フィルタにそれぞれ相対する各画素が混合されたデータが得られることになり、また、Ａ２ラインとして、Ｃｙ＋Ｍｇ、Ｙｅ＋Ｇ、Ｃｙ＋Ｍｇ、Ｙｅ＋Ｇ、・・・・の垂直方向で上下隣り合う色フィルタにそれぞれ相対する各画素が混合されたデータが得られることになり、以下同様に、図示しないＡ３ライン、Ａ４ライン、・・・の各ラインとして、それぞれ垂直方向で上下隣り合う画素が混合されたデータが得られることになる。
【００７８】
また、ＳＤＲＡＭ２８からのリードデータＲ１として、図７の２番目のａ２ライン以降の各ライン（すなわちａ２ライン，ａ３ライン，・・・）を読み出してメモリ２５に書き込み、一方、リードデータＲ２として、図７の最初のｂ１ライン以降の各ライン（すなわちｂ１ライン，ｂ２ライン，・・・）を読み出してメモリ２６に書き込み、これらメモリ２５，２６から同時にそれらのデータを読み出して加算器２３にて加算すれば、前述した図５の場合と同じように、Ｂ１ラインとして、Ｇ＋Ｃｙ、Ｍｇ＋Ｙｅ、Ｇ＋Ｃｙ、Ｍｇ＋Ｙｅ、・・・・の垂直方向で上下隣り合う色フィルタにそれぞれ相対する各画素の撮像信号が混合されたデータが得られ、以下同様に、Ｂ２ライン、Ｂ３ライン、・・・の各ラインとして、それぞれ垂直方向で上下隣り合う画素の撮像信号が混合されたデータが得られることになる。
【００７９】
但し、本実施の形態の場合は、加算器２３での加算により得られるフレーム画像は、Ａフィールドの画像とＢフィールドの画像が時間的に同一の画像であるため、前述の図４に示した従来のビデオカメラにおいて動きのある被写体から静止画像を生成する場合のような２重にずれた画像とはならず、高解像度で高品質の静止画像が得られることになる。
【００８０】
以上のようにして、静止画撮影モード時に得られた静止画像データ、すなわち加算器２３での加算により得られたフレーム画像データは、カメラマイコン５によりその切換動作が制御される信号切換部２１に送られる。
【００８１】
信号切換部２１は、加算器２３からのデータとＤＭＡＣＴＬ部３３からのデータとを選択的に切り換えるものであるが、このときの信号切換部２１では、カメラマイコン５による制御に基づいて、加算器２３からのデータを選択して第１の信号処理ブロック３８に送る。
【００８２】
当該信号切換部２１から第１の信号処理ブロック３８に供給されたデータは、信号切換部８と後述する水平画素密度変換（６４０→７２０）部１９とに送られるが、このときの静止画像データは、カメラマイコン５の指令に基づいて、信号切換部８を通過してＹ／Ｃ分離部９に送られ、当該Ｙ／Ｃ分離部９、ＩＷＤ部１０、信号切換部１１、ＦＭＣ部１２を経て、ＶＲＡＭ１７に書き込まれる。
【００８３】
当該ＶＲＡＭ１７に書き込まれた静止画像データは、その後、使用者からの要求に応じて読み出され、ＦＭＣ部１２、ＭＩＸ部１３、ＹＮＲ部１４を順次通過する。ＹＮＲ部１４から出力された静止画像データは、記録再生機器１８とＥＮＣ部１５と信号切換部２０に送られる。
【００８４】
ここで、静止画像データを出力端子３４から外部に出力する場合には、ＹＮＲ部１４から出力された静止画像データをＥＮＣ部１５、ＤＡＣ部１６にて処理する。また、静止画像データを記録再生機器１８にて記録媒体に記録する場合には、ＹＮＲ部１４から出力された静止画像データを記録再生機器１８に送る。また、静止画像データをメモリカード６に記録する場合には、ＹＮＲ部１４から出力された静止画像データを信号切換部２０へ送り、当該信号切換部２０を通過させて第２の信号処理ブロック３９に送る。なお、出力端子３４から出力された静止画像の信号をモニタ上に表示した場合、動きのある被写体であっても２重にならない静止画を表示することができる。
【００８５】
次に、静止画像データをメモリカード６に記録する場合、信号切換部２０から第２の信号処理ブロック３９に供給された静止画像データは、水平画素密度変換（７２０→６４０）部３２に入力する。
【００８６】
水平画素密度変換（７２０→６４０）部３２では、第１の信号処理ブロック３８から供給された静止画像の撮像データの水平画素密度を、７２０画素から６４０画素に変換する。なお、当該水平画素密度変換部３２は、ビデオカメラにより得られる画像が正方格子で無いため、その画像を正方格子に変換するために行われるものであり、本実施の形態では、ＮＴＳＣの場合の７２０×４８０画素の画像を、ＶＧＡ相当の６４０×４８０画素に変換する。当該水平画素密度変換部３２による水平画素密度変換後の撮像データは、ＤＭＡＣＴＬ部３３に送られる。
【００８７】
ＤＭＡＣＴＬ部３３は、マイコン７内のメモリに１画面分の撮像データをＤＭＡ転送する。
【００８８】
マイコン７は、本実施の形態のビデオカメラの使用者からの要求に応じて、ＤＭＡＣＴＬ部３３から供給された撮像データをソフトウェア処理によって画像圧縮処理し、その圧縮データを半導体メモリを備えた着脱可能なメモリカード６に記録する。このメモリカード６に記録された圧縮データは、本実施の形態のビデオカメラの使用者からの要求に応じて、当該メモリカード６から読み出され、マイコン７に取り込まれる。
【００８９】
メモリカード６から圧縮データを読み出したマイコン７は、ソフトウェア処理により伸張処理を行い、静止画像データを復元する。当該マイコン７により復元された静止画像データは、ＤＭＡ転送によってＤＭＡＣＴＬ部３３を通り、信号切換部２２と信号切換部２１に送られる。このときの静止画像データは、信号切換部２２を通過し、第１の信号処理ブロック３８に送られる。
【００９０】
メモリカード６から読み出されて伸張処理され、第１の信号処理ブロック３８に送られてきた静止画像データは、水平画素密度変換（６４０→７２０）部１９に送られる。
【００９１】
水平画素密度変換（６４０→７２０）部１９は、第２の信号処理ブロック３９から供給された静止画像データの水平画素密度を、６４０画素から７２０画素に変換する。すなわち、第２の信号処理ブロック３９から供給された静止画像データは、先に水平画素密度変換部３２にてＶＧＡ相当の６４０×４８０画素に変換されているため、当該第１の信号処理ブロック３８の水平画素密度変換部１９では、その６４０×４８０画素の画像を７２０×４８０画素のＮＴＳＣ相当の画像に変換する。当該水平画素密度変換（６４０→７２０）部１９から出力された静止画像データは、カメラマイコン５からの指令に基づいて、信号切換部１１を通過し、ＦＭＣ部１２を経て、ＶＲＡＭ１７に書き込まれる。
【００９２】
当該ＶＲＡＭ１７に書き込まれた静止画像データは、その後、使用者からの要求に応じて読み出され、ＦＭＣ部１２、ＭＩＸ部１３、ＹＮＲ部１４を順次通過する。ＹＮＲ部１４から出力された静止画像データは、ＥＮＣ部１５以降の構成を介して外部に出力されるか、或いは、記録再生機器１８に送られて記録媒体に記録される。
【００９３】
なお、本実施の形態のビデオカメラの場合、当該マイコン７により復元された静止画像データは、例えばＩｒＤＡ部２９による赤外線通信や、ＵＡＲＴ部３０による非同期シリアル通信、ＰＯＲＴ部によるシリアル通信により、例えばパーソナルコンピュータ等に転送することも可能である。ＴＩＭＥＲ部３１は、日時情報を発生するものであり、当該ＴＩＭＥＲ部３１により発生された日時情報を撮影日時或いは画像生成日時として、各静止画像に付加している。
【００９４】
さらに、本実施の形態のディジタルカメラでは、例えばパーソナルコンピュータ等から赤外線通信により転送されてきた静止画像データをＩｒＤＡ部２９にて受信したり、例えばパーソナルコンピュータ等から非同期シリアル通信により転送されてきた静止画像データをＵＡＲＴ部３０にて受信すること、同じくパーソナルコンピュータ等からシリアル通信により転送されてきた静止画像データをＰＯＲＴ部３１にて受信することも可能となされている。
【００９５】
本実施の形態のビデオカメラは、上述したような動画撮影と高解像度で良質の静止画撮影を実現する機能だけでなく、さらに、タイトル等の画像を撮影した動画や静止画像に合成するタイトル合成機能をも備えている。
【００９６】
以下、タイトル合成を行う場合の構成及び動作について説明する。
【００９７】
合成を行うタイトル画像データは、予め、例えばメモリカード６に圧縮した状態で記録してあり、さらに、マイコン７が当該メモリカード６からタイトル画像の圧縮データを読み出して伸張し、ＤＭＡＣＴＬ部３３、信号切換部２２、メモリ２４、バッファ２７を経由して、ＳＤＲＡＭ２８に記録されているとする。
【００９８】
ここで、タイトル画像の合成を行う場合、撮影した動画像や静止画像上にタイトル画像が所望の時間だけ合成されて表示されるように、このＳＤＲＡＭ２８からはタイトル画像データが常に読み出される。当該ＳＤＲＡＭ２８から読み出されたタイトル画像データは、例えばメモリ２５（この場合はメモリ２６を使用しない）、加算器２３（この場合は加算処理を行わない）を通過し、さらに信号切換部２１を通過して、第１の信号処理ブロック３８に送られる。
【００９９】
第１の信号処理ブロック３８に入力されたタイトル画像データは、カメラマイコン５からの指令に基づいて、水平画素密度変換（６４０→７２０）部１９を介し、ＭＩＸ（画像合成）部１３に送られる。なお、タイトル画像データを水平画素密度変換（６４０→７２０）部１９に通すのは、メモリカード６から読み出されたタイトル画像データがＶＧＡ相当の６４０×４８０画素の画像であるため、その水平画素密度変換を６４０から７２０に変換するためである。
【０１００】
このとき、ＭＩＸ部１３には、現時点において動画撮影されている動画像データ（ＣＣＤ１からＦＭＣ部１２を経由した動画像データ）、或いは、記録再生機器１８から再生された再生画像データ（信号切換部１１からＦＭＣ部１２を経由した動画像データ若しくは静止画像データ）、或いは、メモリカード６から読み出された静止画像データ（第２の信号処理ブロック３９からの静止画像データ）が供給されており、当該ＭＩＸ部１３では、それら動画像データ或いは静止画像データに、タイトル画像データを合成する。
【０１０１】
ＭＩＸ部１３では、タイトル画像の輝度レベルが、基準となるレベルと比較して高い場合には、ビデオカメラの画像又は記録再生機器１８の再生画像を出力し、一方、タイトル画像の輝度レベルが、基準となるレベルと比較して低い場合には、タイトル画像データを出力することで、それら２つの入力画像を合成して出力する。すなわち、ＭＩＸ部１３では、いわゆるルミキー処理を行う。
【０１０２】
当該ＭＩＸ部１３の出力は、ＹＮＲ部１４を経由し、当該ビデオカメラの使用者の要求に応じて、前述同様に、記録再生機器１８にて記録媒体に記録されるか、或いは外部に出力されるか、若しくはメモリカード６に記録されることになる。すなわち、メモリカード５に記録する場合、ＭＩＸ部１３の出力は、ＹＮＲ部１４を経由し、信号切換部２０を通過して第２の信号処理ブロック３９に送られ、水平画素密度変換（７２０→６４０）部３２にて変換処理が行われ、さらにＤＭＡＣＴＬ部３３を介してマイコン７に送られ、当該マイコン７にて圧縮された後、メモリカード６に記録される。また、記録再生機器１８にて記録媒体に記録する場合、ＭＩＸ部１３の出力は、ＹＮＲ部１４を経由し、記録再生機器１８に送られる。また、外部に出力する場合、ＭＩＸ部１３の出力は、ＹＮＲ部１４を経由し、さらにＥＮＣ部１５、ＤＡＣ部１６、出力端子３４を経由して外部に出力される。さらに、メモリカード６内に記録した静止画像を読み出して第１の信号処理ブロック３８に送り、ＶＲＡＭ１７に書き込み、上述同様にＭＩＸ部１３においてタイトル画像データと合成した後、さらにＹＮＲ部を経由した記録再生機器１８に送り、記録媒体に記録することも可能である。
【０１０３】
なお、ＭＩＸ部１３での画像合成方法は、いわゆるルミキー処理だけでなく、タイトル画像の色差信号を基準レベルと比較して合成するクロマキー処理も可能である。また、基準レベルと比較する画像は、タイトル画像でなく、ビデオカメラの再生画像であってもよい。
【０１０４】
以上説明したように、本実施の形態のビデオカメラによれば、コストの安いインタライン型ＣＣＤ１とアイリス機構４２を利用したメカシャッタ動作により、垂直解像度が高く、動いている被写体でも２重にならない静止画像を得ることが可能である。
【０１０５】
また、本実施の形態によれば、ビデオカメラの通常の動画像撮影機能と、ディジタルスチルカメラのような静止画像撮影機能を、ハード構成を共用して実現しているため、ビデオカメラの構成とディジタルスチルカメラの構成の２つを単純に組み合わせる場合よりも、低コストの装置を実現可能となっている。
【０１０６】
また、本実施の形態によれば、デジタルスチルカメラで行っていた輝度と色信号の分離、カメラのオートフォーカスやオートアイリス等のオート系信号処理をハード回路で行うため処理時間が短かくなり使い易くなっている。
【０１０７】
さらに、本実施の形態によれば、ビデオカメラの機能とデジタルスチルカメラの機能を一体化にすることで、タイトル合成や、記録再生機器とメモリカード間での静止画像データの送受やコピーを容易に実現可能となっている。
【図面の簡単な説明】
【０１０８】
【図１】本発明実施の形態のビデオカメラの概略構成を示すブロック図である。
【図２】図１のビデオカメラにおいて動画撮影と静止画撮影を行う際のＣＣＤの読み出しモードの説明に用いるタイミングチャートである。
【図３】図１のビデオカメラにおいてＳＤＲＡＭとメモリ間のデータ転送の説明に用いるタイミングチャートである。
【図４】従来のビデオカメラの概略構成を示すブロック図である。
【図５】インタライン型ＣＣＤのフィールド読み出し動作の説明に用いる図である。
【図６】ＣＣＤのディジタルカメラ（ディジタルスチルカメラ）の概略構成を示すブロック図である。
【図７】プログレッシブスキャン型ＣＣＤのフレーム読み出し動作の説明に用いる図である。
【符号の説明】
【０１０９】
１…ＣＣＤ、２…ＣＤＳ・ＡＧＣ回路、３…ＡＤＣ回路、４…タイミングジェネレータ、５…カメラマイコン、６…メモリカード、７…マイコン、８，１１，２９，２１，２２…信号切換部、９…Ｙ／Ｃ分離部、１０…ＩＷＤ部、１２…ＦＭＣ部、１３…ＭＩＸ部、１４…ＹＮＲ部、１５…ＥＮＣ部、１６…ＤＡＣ部、１７…ＶＲＡＭ、１８…ＲＥＣ・ＰＢ部、１９…水平画素密度変換（６４０→７２０）部、２３…加算器、２４，２５，２６…メモリ、２８…ＳＤＲＡＭ、２９…ＩｒＤＡ部、３０…ＵＡＲＴ部、３１…ＴＩＭＥＲ部、３２…水平画素密度変換（７２０→６４０）部、３３…ＤＭＡＣＴＬ部、３８…第１の
信号処理部、３９…第２の信号処理部、４０…レンズ系、４１…オートフォーカス機構、４２…アイリス機構、４３…補色フィルタ、４４…アイリス駆動回路
【図１】
2005006356.tif 000003
【図２】
2005006356.tif 000004
【図３】
2005006356.tif 000005
【図４】
2005006356.tif 000006
【図５】
2005006356.tif 000007
【図６】
2005006356.tif 000008
【図７】
2005006356.tif 000009